(57)【要約】【課題】コンタクト部材の外方位置にシールドシェルを配置した構造において、コネクタ幅方向の小型化を容易に図ることを可能とする。【解決手段】第１コネクタ１０の第１コンタクト部材１３に対してコネクタ幅方向の外方に配置した第１シールドシェル１２ａからコネクタ幅方向の外方にグランド接続部１２ｄを突出させるにあたって、両コネクタ１０，２０の嵌合時におけるグランド接続部１２ｄの内方端面１２ｄ３を、第２シールドシェル２２の板幅ｔの範囲内に配置することによって、第１シールドシェル１２を、グランド接続部１２ｄに対してコネクタ幅方向の内方に配置し、両コネクタ１０，２０の嵌合時に、第１シールドシェル１２ａに対してコネクタ幅方向の外方に配置される第２シールドシェル２２を、従来よりもコネクタ内方に配置する構成を採用したものである。【選択図】図２４
2019087382.tif 000002
【特許請求の範囲】
【請求項１】
第１及び第２配線基板の主面にそれぞれ実装された状態で、嵌合状態になされる第１コネクタと第２コネクタとからなり、
前記第１及び第２コネクタに設けられた絶縁性を有する第１及び第２ハウジングの各々に、信号接続用の導電性部材からなる第１及び第２コンタクト部材と、それら第１及び第２コンタクト部材に対するコネクタ幅方向の外方位置に、前記コネクタ幅方向に予め定められた板幅を有する導電性の第１及び第２シールドシェルと、が取り付けられ、
前記第１及び第２シールドシェルに設けられた第１及び第２基板接続部が、前記第１及び第２配線基板に設けられた第１及び第２グランド用導電路に電気的に接続されるものであって、
前記第１コネクタと前記第２コネクタとが嵌合された際に、前記第１シールドシェルにおけるコネクタ幅方向の外方端面と、前記第２シールドシェルにおけるコネクタ幅方向の内方端面とが、コネクタ幅方向に対向して互いに重なり合う関係となる基板接続用電気コネクタ装置において、
前記第１基板接続部が、前記第１シールドシェルの前記外方端面からコネクタ幅方向の外方に向かって突出するものであって、
前記第１コネクタと第２コネクタとが嵌合された際に、前記第１基板接続部におけるコネクタ幅方向の内方端面が、コネクタ幅方向において前記第２シールドシェルの前記板幅の範囲内に配置されることを特徴とする基板接続用電気コネクタ装置。
【請求項２】
前記第１基板接続部が、前記第１シールドシェルの前記外方端面からコネクタ幅方向の外方に張り出す段差部と、その段差部から前記第１配線基板の主面に向かって突出する接続片部と、を有していることを特徴とする請求項１記載の基板接続用電気コネクタ装置。
【請求項３】
前記第１基板接続部は、前記第１ハウジングにおけるコネクタ幅方向の外方端面からコネクタ幅方向の外方に離間していることを特徴とする請求項１記載の基板接続用電気コネクタ装置。
【請求項４】
前記第１ハウジングは、前記第１コンタクト部材に対してコネクタ幅方向に対向する部位に、前記コネクタ幅方向の外方端面を前記第１シールドシェルからコネクタ幅方向の内方に離間させる空隙部を有していることを特徴とする請求項１記載の基板接続用電気コネクタ装置。
【請求項５】
前記第１及び第２コンタクト部材が、コネクタ幅方向と直交するコネクタ長手方向に予め定められた間隔をなして複数配置されたものであって、
コネクタ長手方向において、前記第１基板接続部が、隣接する前記第１コンタクト部材の間に配置されていることを特徴とする請求項１記載の基板接続用電気コネクタ装置。
【請求項６】
前記第１及び第２コンタクト部材が、前記第１及び第２配線基板に設けられた第１及び第２信号伝送用導電路に電気的に接続されるものであって、
前記第１及び第２信号伝送用導電路の少なくとも一部が、前記第１及び第２グランド用導電路に対してコネクタ幅方向に対向した状態に配置されていることを特徴とする請求項１記載の基板接続用電気コネクタ装置。
【請求項７】
前記第１シールドシェルには、前記第１コネクタと前記第２コネクタとが嵌合された際に、前記第２シールドシェルに弾性的に接触する板バネ片が設けられていることを特徴とする請求項１記載の基板接続用電気コネクタ装置。
【請求項８】
前記第１シールドシェルが、コネクタ長手方向に沿って延在するものであって、
前記第１シールドシェルにおける延在方向の両端部の間部分には、前記第１ハウジングの一部に固定される係合片が設けられていることを特徴とする請求項１記載の基板接続用電気コネクタ装置。
【発明の詳細な説明】
【技術分野】
【０００１】
本発明は、電気コネクタ装置に関する。
【背景技術】
【０００２】
一般に、種々の電気機器において、スタッキングコネクタなどと呼ばれる基板接続用の電気コネクタ装置が広く採用されている。基板接続用電気コネクタ装置においては、例えば第１配線基板が連結された第１コネクタ（リセプタクルコネクタ）の上方に、第２配線基板が連結された第２コネクタ（プラグコネクタ）が対向するように配置され、そのような上下の対向状態から、上方側の第２コネクタが、下方側の第１コネクタに向かって下降されるようにして押し込まれていき、それによって両電気コネクタ同士を嵌合状態とすることで、第１及び第２配線基板同士を電気的に接続する構造が採用されている。
【０００３】
このような基板接続用電気コネクタにおいては、特に近年の伝送信号の高周波化に伴って、いわゆるＥＭＩ（ＥＬＥＣＴＲＯ  ＭＡＧＮＥＴＩＣ  ＩＮＴＥＲＦＥＲＥＮＣＥ）対策を施すことが要請されており、例えば下記特許文献１においては、電磁遮蔽用のシールドシェルを、コネクタ幅方向において信号伝送用のコンタクト部材の外方に配置することが行われている。
【０００４】
ところが、この場合、配線基板における、信号伝送用のコンタクト部材が接続される信号導電路と、シールドシェルの基板接続部が接続されるグランド導電路との間には、スパークの発生や半田材による短絡を回避するための間隔をコネクタ幅方向に設けておく必要がある。そのため、電気コネクタ装置の全体がコネクタ幅方向に大型化してしまうという問題がある。特に、下記の特許文献１にかかる電気コネクタ装置では、シールドシェルの基板接続部がコネクタ幅方向の内方に向かって折り込まれた構造になされていることから、シールドシェルの基板接続部が接続されるグランド導電路に対してコネクタ幅方向の外方位置にシールドシェルが張り出した構造となっている。そのため、電気コネクタ装置の全体をコネクタ幅方向に小型化することが難しくなっている。
【０００５】
一方、近年においては、伝送信号の多極化が進むに伴って、電気コネクタ装置がコネクタ幅方向に長尺化される傾向にある。そのような長尺状をなす電気コネクタ装置に設けられたシールドシェルは、細長状に延在する構造になされることによって撓みや変形を生じ易くなっており、予定したシールド機能やインピーダンス特性を得られないおそれがある。
【先行技術文献】
【特許文献】
【０００６】
【特許文献１】特許第６１１７４１５号公報
【発明の開示】
【発明が解決しようとする課題】
【０００７】
そこで本発明の目的は、コンタクト部材に対してコネクタ幅方向の外方位置にシールドシェルを配置した構造において、コネクタ幅方向の小型化を容易に図ることができるようにした基板接続用電気コネクタ装置を提供することにある。
【課題を解決するための手段】
【０００８】
上記目的を達成するため請求項１にかかる発明では、第１及び第２配線基板の主面にそれぞれ実装された状態で、嵌合状態になされる第１コネクタと第２コネクタとからなり、前記第１及び第２コネクタに設けられた絶縁性を有する第１及び第２ハウジングの各々に、信号接続用の導電性部材からなる第１及び第２コンタクト部材と、それら第１及び第２コンタクト部材に対するコネクタ幅方向の外方位置に、前記コネクタ幅方向に予め定められた板幅を有する導電性の第１及び第２シールドシェルとが取り付けられ、前記第１及び第２シールドシェルに設けられた第１及び第２基板接続部が、前記第１及び第２配線基板に設けられた第１及び第２グランド用導電路に電気的に接続されるものであって、前記第１コネクタと前記第２コネクタとが嵌合された際に、前記第１シールドシェルにおけるコネクタ幅方向の外方端面と、前記第２シールドシェルにおけるコネクタ幅方向の内方端面とが、コネクタ幅方向に対向して互いに重なり合う関係となる電気コネクタ装置において、前記第１基板接続部が、前記第１シールドシェルの前記外方端面からコネクタ幅方向の外方に向かって突出するものであって、前記第１コネクタと第２コネクタとが嵌合された際に、前記第１基板接続部におけるコネクタ幅方向の内方端面が、コネクタ幅方向において前記第２シールドシェルの前記板幅の範囲内に配置される構成が採用されている。
【０００９】
このような構成を備えた請求項１にかかる発明によれば、第１シールドシェルが、第１基板接続部に対してコネクタ幅方向の内方に配置されていることから、両コネクタが嵌合された際に、第１シールドシェルの外方に配置される第２シールドシェルが、従来よりもコネクタ内方に配置されることとなり、第１シールドシェルの第１基板接続部と第１コンタクト部材の信号接続部とのコネクタ幅方向における間の距離を確保しつつ、電気コネクタ装置の全体がコネクタ幅方向に小型化される。
【００１０】
また、請求項２にかかる発明のように、前記第１基板接続部が、前記第１シールドシェルの前記外方端面からコネクタ幅方向の外方に張り出す段差部と、その段差部から前記第１配線基板の主面に向かって突出する接続片部とを有していることが望ましい。
【００１１】
このような構成を備えた請求項２にかかる発明によれば、第１基板接続部の接続片部が第１配線基板の主面に向かって突出する分だけ、第１シールドシェルの全体が第１配線基板の主面から離れた状態に維持されることとなり、第１シールドシェルの内方に配置された第１コンタクト部材の信号伝送用導電路に対して、第１シールドシェルが干渉し難い状態となる。その結果、第１シールドシェルを信号伝送用導電路に近付けることが可能となり、第１シールドシェルの第１基板接続部が接続されるグランド用導電路を、第１コンタクト部材が接続される信号伝送用導電路に対してコネクタ幅方向に近付けることにより、更なる小型化を図ることができる。
【００１２】
さらに、請求項３にかかる発明のように、前記第１基板接続部は、前記第１ハウジングにおけるコネクタ幅方向の外方端面からコネクタ幅方向の外方に離間していることが可能である。
【００１３】
さらにまた、請求項４にかかる発明のように、前記第１ハウジングは、前記第１コンタクト部材に対してコネクタ幅方向に対向する部位に、前記コネクタ幅方向の外方端面を前記第１シールドシェルからコネクタ幅方向の内方に離間させる空隙部を有していることが望ましい。
【００１４】
このような構成を備えた請求項４にかかる発明によれば、空隙部を通して第１コンタクト部材の接続状態等が観察可能になるとともに、その空隙部の大きさを調整することによって、インピーダンス特性が好適な状態に調整可能となる。
【００１５】
また、請求項５にかかる発明のように、前記第１及び第２コンタクト部材が、コネクタ幅方向と直交するコネクタ長手方向に予め定められた間隔をなして複数配置されたものであって、コネクタ長手方向において、前記第１基板接続部が、隣接する前記第１コンタクト部材の間に配置されていることが可能である。
【００１６】
さらに、請求項６にかかる発明のように、前記第１及び第２コンタクト部材が、前記第１及び第２配線基板に設けられた第１及び第２信号伝送用導電路に電気的に接続されるものであって、前記第１及び第２信号伝送用導電路の少なくとも一部が、前記第１及び第２グランド用導電路に対してコネクタ幅方向に対向した状態に配置されていることが可能である。
【００１７】
さらにまた、請求項７にかかる発明のように、前記第１シールドシェルには、前記第１コネクタと前記第２コネクタとが嵌合された際に、前記第２シールドシェルに弾性的に接触する板バネ片が設けられていることが可能である。
【００１８】
一方、請求項８にかかる発明では、請求項１にかかる発明における前記第１シールドシェルが、コネクタ長手方向に沿って延在するものであって、前記第１シールドシェルにおける延在方向の両端部の間部分には、前記第１ハウジングの一部に固定される係合片が設けられていることが望ましい。
【００１９】
このような構成を備えた請求項８にかかる発明によれば、第１シールドシェルが、係合片を介して第１ハウジングに強固に固定されることとなり、第１シールドシェルの変形のおそれがなくなることから、前記空隙部の大きさを一定に保つことができ、安定的なシールド機能が得られる。
【発明の効果】
【００２０】
以上述べたように本発明にかかる基板接続用電気コネクタ装置は、コンタクト部材に対してコネクタ幅方向の外方位置にシールドシェルを配置した構造において、コネクタ幅方向の小型化を容易に図ることができる。
【図面の簡単な説明】
【００２１】
【図１】本発明の一実施形態にかかる第１コネクタ（リセプタクルコネクタ）を上方側から表した外観斜視説明図である。
【図２】図１に示された本発明の一実施形態にかかる第１コネクタ（リセプタクルコネクタ）を上下反転した状態を表した外観斜視説明図である。
【図３】図１及び図２に示された本発明の一実施形態にかかる第１コネクタ（リセプタクルコネクタ）を表した平面説明図である。
【図４】図１〜図３に示された本発明の一実施形態にかかる第１コネクタ（リセプタクルコネクタ）を表した正面説明図である。
【図５】図１〜図４に示された本発明の一実施形態にかかる第１コネクタ（リセプタクルコネクタ）を表した側面説明図である。
【図６】図４中のVI−VI線に沿った拡大横断面説明図である。
【図７】図４中のVII−VII線に沿った拡大横断面説明図である。
【図８】図４中のVIII−VIII線に沿った拡大横断面説明図である。
【図９】図１〜図８に示された本発明の一実施形態にかかる第１コネクタ（リセプタクルコネクタ）を分解して表した外観斜視説明図である。
【図１０】図１〜図９に示された第１コネクタ（リセプタクルコネクタ）に嵌合される本発明の一実施形態にかかる第２コネクタ（プラグコネクタ）を上方側から表した外観斜視説明図である。
【図１１】図１０に示された本発明の一実施形態にかかる第２コネクタ（プラグコネクタ）を上下反転した状態を表した外観斜視説明図である。
【図１２】図１０及び図１１に示された本発明の一実施形態にかかる第２コネクタ（プラグコネクタ）を表した平面説明図である。
【図１３】図１０〜図１２に示された本発明の一実施形態にかかる第２コネクタ（プラグコネクタ）を表した正面説明図である。
【図１４】図１０〜図１３に示された本発明の一実施形態にかかる第２コネクタ（プラグコネクタ）を表した側面説明図である。
【図１５】図１２中のXV−XV線に沿った拡大横断面説明図である。
【図１６】図１２中のXVI−XVI線に沿った拡大横断面説明図である。
【図１７】図１０〜図１６に示された本発明の一実施形態にかかる第２コネクタ（プラグコネクタ）を分解して表した外観斜視説明図である。
【図１８】本発明の一実施形態にかかる第１及び第２コネクタ同士を、第２コネクタを上にして嵌合させた状態を上方から表した外観斜視説明図である。
【図１９】図１８に示された第１及び第２コネクタ同士の嵌合状態を上下反転した状態を表した外観斜視説明図である。
【図２０】図１８及び図１９に示された第１及び第２コネクタ同士の嵌合状態を表した平面説明図である。
【図２１】図１８及び図１９に示された第１及び第２コネクタ同士の嵌合状態を表した正面説明図である。
【図２２】図１８及び図１９に示された第１及び第２コネクタ同士の嵌合状態を表した側面説明図である。
【図２３】図２１中のXXIII−XXIII線に沿って配線基板とともに表した拡大横断面説明図である。
【図２４】図２１中のXXIV−XXIV線に沿って配線基板とともに表した拡大横断面説明図である。
【図２５】第１コネクタ（リセプタクルコネクタ）が実装される配線基板の構造例を表した外観斜視説明図である。
【図２６】第２コネクタ（プラグコネクタ）が実装される配線基板の構造例を表した外観斜視説明図である。
【発明を実施するための形態】
【００２２】
以下、本発明を適用した実施形態について図面に基づき詳細に説明する。
【００２３】
［電気コネクタ装置の全体構造について］
図１〜図２４に示された本発明の一実施形態にかかる基板接続用電気コネクタ装置は、例えば、スマートフォン、或いはタブレット型コンピュータ等の各種電子機器内に配置された配線基板同士を電気的に接続するように用いられるものであって、図１〜図９に示された第１コネクタとしてのリセプタクルコネクタ１０と、図１０〜図１７に示された第２コネクタとしてのプラグコネクタ２０とから構成されている。そして、リセプタクルコネクタ（第１コネクタ）１０が、例えば図２５に示されている第１配線基板Ｐ１の主面上に半田接合等によって実装されるとともに、プラグコネクタ（第２コネクタ）２０が、例えば図２６に示されている第２配線基板Ｐ２の主面上に半田接合等によって実装され、その実装状態になされた第１及び第２からなる両電気コネクタ１０，２０同士が、互いの配線基板の主面同士が対面するように配置されてから嵌合操作が行われることによって、上述した第１及び第２配線基板Ｐ１，Ｐ２が両電気コネクタ１０，２０を介して電気的な接続が行われる。
【００２４】
以下の説明においては、リセプタクルコネクタ（第１コネクタ）１０と、プラグコネクタ（第２コネクタ）２０との嵌合方向を「上下方向」とし、その上下方向における下方位置に配置されたリセプタクルコネクタ１０の上方位置にプラグコネクタ２０が配置された上下の対面状態から、両電気コネクタ１０，２０同士が、位置合わせされた状態から、例えばプラグコネクタ２０が下方向に押し込まれることによって、図１８〜図２４に示されているように両電気コネクタ１０，２０同士が嵌合状態になされる。
【００２５】
また、上述したような嵌合状態からプラグコネクタ（第２コネクタ）２０が上方に向かって適宜の力で引き上げられることにより、下方のリセプタクルコネクタ（第１コネクタ）１０からプラグコネクタ２０が上方に抜去される構成になされている。このようにリセプタクルコネクタ（第１コネクタ）１０に対してプラグコネクタ（第２コネクタ）２０を嵌合・抜去する操作は、作業者の手で行われることに限られるものではなく、所定の治具や機械を使用することによって自動的に行うことも可能である。
【００２６】
なお、両電気コネクタ１０，２０同士の嵌合・抜去を行うにあたっては、下方に配置されたリセプタクルコネクタ（第１コネクタ）１０に対して、上方に配置されたプラグコネクタ（第２コネクタ）２０が上下反転された状態で対向配置されることとなるが、その上下を反転された状態で使用されるプラグコネクタ２０単体の説明を行うにあたっては、反転前の状態、すなわち下方に配置された第２配線基板Ｐ２に対して、プラグコネクタ２０を上方から実装した状態で説明する。
【００２７】
このような基板接続用電気コネクタ装置を構成しているリセプタクルコネクタ（第１コネクタ）１０及びプラグコネクタ（第２コネクタ）２０は、それぞれ細長状に延在する第１ハウジング１１及び第２ハウジング２１を有している。それらの第１ハウジング１１及び第２ハウジング２１は、絶縁性のプラスチック等の樹脂材を用いて例えばモールド成形されたものであるが、当該第１ハウジング１１及び第２ハウジング２１の長手方向に沿って、信号接続用の導電性部材からなる多数の第１コンタクト部材１３及び第２コンタクト部材２３が、所定のピッチで配列されている。これらの第１コンタクト部材１３及び第２コンタクト部材２３の配列方向である第１ハウジング１１及び第２ハウジング２１の長手方向を、以下において「コネクタ長手方向」と呼び、その「コネクタ長手方向」及び「上下方向」に直交する短手方向を「コネクタ幅方向」と呼ぶこととする。
【００２８】
これらの各第１ハウジング１１及び第２ハウジング２１は、特に図９及び図１７に示されているように、当該第１ハウジング１１及び第２ハウジング２１の長手方向（コネクタ長手方向）における両端部分に基端部１１ａ，１１ａ及び２１ａ，２１ａを有している。そして、リセプタクルコネクタ（第１コネクタ）１０においては、前記基端部１１ａ，１１ａのコネクタ幅方向における中央部分同士をコネクタ長手方向に一体的に掛け渡すようにして中央凸部１１ｂが設けられているとともに、プラグコネクタ（第２コネクタ）２０においては、前記基端部２１ａ，２１ａのコネクタ幅方向における中央部分同士をコネクタ長手方向に一体的に掛け渡すようにして中央凹部２１ｂが設けられている。このように第１ハウジング１１及び第２ハウジング２１の基端部１１ａ，１１ａ及び２１ａ，２１ａは、中央凸部１１ｂ及び中央凹部２１ｂを介してコネクタ長手方向に対向する配置関係になされているが、それら基端部１１ａ，１１ａ及び基端部２１ａ，２１ａにおけるコネクタ幅方向の両端部同士をコネクタ長手方向に掛け渡すようにして、第１シールドシェル１２及び第２シールドシェル２２が取り付けられている。
【００２９】
これらの第１シールドシェル１２及び第２シールドシェル２２は、薄板状金属部材等からなる導電性部材の折り曲げ構造体から形成されており、後述する第１コンタクト部材１３及び第２コンタクト部材２３に対するシールド壁部を構成するように、第１ハウジング１１及び第２ハウジング２１の外方部分を、コネクタ長手方向及びコネクタ幅方向の両側から挟んで平面略矩形状に取り囲む配置関係に装着されている。このときのリセプタクルコネクタ（第１コネクタ）１０に装着されている第１シールドシェル１２は、第１ハウジング１１に対して上方からの圧入により固定されている一方、プラグコネクタ（第２コネクタ）２０に装着された第２シールドシェル２２は、第２ハウジング２１に対して、上方からの圧入又はインサート成形により固定されている。
【００３０】
また、図１に示されているように、上述した第１ハウジング１１の中央凸部１１ｂには、凹溝状をなすコンタクト取付け溝１１ｃが、コネクタ長手方向に沿って一定の間隔で並列するように凹設されているとともに、第２ハウジング２１及び中央凹部２１ｂにも、コンタクト取付け溝（図示省略）が、コネクタ長手方向に沿って一定の間隔で並列するように凹設されている。そして、これらのコンタクト取付け溝１１ｃ等に対して、第１コンタクト部材１３及び第２コンタクト部材２３が、それぞれ圧入又はインサート成形により取り付けられている。これらの第１コンタクト部材１３及び第２コンタクト部材２３は、コネクタ長手方向に沿って一定の間隔で複数配列されている。
【００３１】
リセプタクルコネクタ（第１コネクタ）１０、及びプラグコネクタ（第２コネクタ）２０の全体構成は概略以上の通りであるが、以下において各部の詳細な構成及び配置関係について説明する。
【００３２】
まず、リセプタクルコネクタ（第１コネクタ）１０の第１ハウジング１１に、圧入により取り付けられた第１コンタクト部材１３、及びプラグコネクタ（第２コネクタ）２０の第２ハウジング２１にインサート成形により取り付けられた第２コンタクト部材２３は、各々の電気コネクタ１０，２０ごとに、コネクタ長手方向に沿って略平行に延在する２列の電極列をそれぞれ形成する配置関係になされている。これら２列の電極列を構成している第１コンタクト部材１３，１３同士、及び第２コンタクト部材２３，２３同士は、コネクタ幅方向において対称的に向かい合う配置関係になされている。以下の説明においては、これらの対称的な配置関係になされた第１コンタクト部材１３，１３同士、及び第２コンタクト部材２３，２３同士を区別することなく同一の説明としている。
【００３３】
[リセプタクルコネクタのコンタクト部材について]
より具体的には、まずリセプタクルコネクタ（第１コネクタ）１０の第１コンタクト部材１３が取り付けられている第１ハウジング１１の中央凸部１１ｂには、特に図８に示されているように、上述した２列の電極列同士の間部分、すなわちコネクタ幅方向の中央部分に、底面板から上方に突出する仕切り板１１ｄが、コネクタ長手方向に沿って帯板状をなして延在するように設けられている。この仕切り板１１ｄは、上述したコンタクト取付け溝１１ｃのコネクタ幅方向における溝底部分を構成するものであるが、その仕切り板１１ｄと、当該仕切り板１１ｄのコネクタ幅方向の両側に立設された長手側壁部１１ｅ，１１ｅとの間の空間部分に、両側の電極列を構成している一対の第１コンタクト部材１３，１３が、コネクタ幅方向に対称的な形状をなすように向かい合った位置関係で配置されている。
【００３４】
これらの各第１コンタクト部材１３は、コネクタ幅方向におけるコネクタ中心部分から外方に向かって湾曲状をなして延在するように折り曲げられた金属製の帯板状部材から形成されており、上述したコンタクト取付け溝１１ｃに対して、下方からの圧入により取り付けられている。この第１コンタクト部材１３においては、略Ｕ字形状に延在するように折り曲げ形成された嵌合凹部１３ａが、上述した仕切り板１１ｄ寄りのコネクタ中心寄りの部分に凹形状をなして窪むように形成されており、その嵌合凹部１３ａの内方空間に、相手嵌合体であるプラグコネクタ（第２コネクタ）２０の第２コンタクト部材２３の一部が、上方から挿入される構成になされている。
【００３５】
すなわち、上述したように略Ｕ字形状をなして延在する第１コンタクト部材１３の嵌合凹部１３ａは、コネクタ幅方向に延在する底辺部１３ｂの両側から上方に向かって立ち上がる外方立上辺部１３ｃ及び内方立上辺部１３ｄを有している。これら内外の両立上辺部１３ｃ，１３ｄのうち、コネクタ幅方向における外方に配置された外方立上辺部１３ｃは、上述した長手側壁部１１ａに凹設されたコンタクト取付け溝１１ｃに対して下方側から圧入されることにより固定状態になされている。そして、その固定状態になされた外方立上辺部１３ｃからコネクタ中心（内方）に向かって上述した底辺部１３ｂが片持ち状に延出しているとともに、その底辺部１３ｂを介して内方立上辺部１３ｄが、同じく片持ち状に延出している。この内方立上辺部１３ｄは、コネクタ中心寄りの仕切り板１１ｄに近接するように配置されており、上述したように固定状態になされた外方立上辺部１３ｃに対して、コネクタ幅方向に対向する方向に弾性変位可能になされている。
【００３６】
コネクタ中心側に配置された内方立上辺部１３ｄの上端部分は、上述した嵌合凹部１３ａの内方空間に向かって湾曲形状をなして張り出すように折り曲げ形成されており、その湾曲状の折り曲げ部分のうち、嵌合凹部１３ａの内方空間に張り出した部位に内方接点部１３ｅが凸形状をなすように形成されている。この内方接点部１３ｅは、前述したように嵌合凹部１３ａの内方空間に、プラグコネクタ（第２コネクタ）２０の第２コンタクト部材２３の一部が挿入された際に、当該第２コンタクト部材２３の一部に接触して電気的に接続される関係になされている。この点については後段において詳細に説明する。
【００３７】
また、コネクタ外方側に配置された外方立上辺部１３ｃは、上述したように長手側壁部１１ａに設けられたコンタクト取付け溝１１ｃの内部に挿入されており、嵌合凹部１３ａの内方空間に臨む部位に外方接点部１３ｆが凸形状をなすように形成されている。この外方接点部１３ｆは、前述したように嵌合凹部１３ａの内方空間に、プラグコネクタ（第２コネクタ）２０の第２コンタクト部材２３の一部が挿入された際に、当該第２コンタクト部材２３の一部に接触して電気的に接続される関係になされている。この点に関しても、後段において詳細に説明する。
【００３８】
このように、リセプタクルコネクタ（第１コネクタ）１０の第１コンタクト部材１３は、各々の第１コンタクト部材１３の嵌合凹部１３ａごとに２箇所の内方接点部１３ｅ及び外方接点部１３ｆが設けられた構成になされており、その第１コンタクト部材１３ごとに設けられた内方接点部１３ｅ及び外方接点部１３ｆを介して、プラグコネクタ（第２コネクタ）２０の第２コンタクト部材２３に対する信号伝送が行われる構成になされている。
【００３９】
また、このような第１コンタクト部材１３における外方立上辺部１３ｃは、上述した底辺部１３ｂからリセプタクルコネクタ（第１コネクタ）１０の上面位置まで立ち上げられてコネクタ外方側に向かって張り出した後に下方に向かって反転するように逆Ｕ字形状に折り曲げられており、当該リセプタクルコネクタ１０の下面位置において、再びコネクタ外方側に向かって略直角に折れ曲がって第１コンタクト接続部（信号接続部）１３ｇになされている。この第１コンタクト接続部１３ｇは、コネクタ幅方向の外方に向かって略水平に延出しており、第１配線基板Ｐ１に対してリセプタクルコネクタ１０が実装される際に、図２５に示されているような第１配線基板Ｐ１上の信号伝送用導電路（信号パッド）Ｐ１ａに対して半田接合されるようになっている。この第１コンタクト接続部１３ｇの半田接合は、長尺状の半田材を用いて全ての第１コンタクト接続部１３ｇに対して一括的に行われる。
【００４０】
[プラグコネクタのコンタクト部材について]
次に、図１７に示すように、プラグコネクタ（第２コネクタ）２０における第２ハウジング２１の中央凹部２１ｂは、コネクタ長手方向（第２コンタクト２３の配列方向）に沿って略平行に延在する一対の長手側壁部２１ｄ，２１ｄを有している。それらの各長手側壁部２１ｄには、凹溝状をなす複数のコンタクト取付け溝（図示省略）が、コネクタ長手方向に沿って一定の間隔で配列されており、それらのコンタクト取付けｃに対して、第２コンタクト部材２３が、２列の電極列を構成するようにインサート成形により取り付けられている。これら２列の電極列を構成している第２コンタクト部材２３は、コネクタ幅方向において対称的に向かい合う配置関係になされている。
【００４１】
より具体的には、第２コンタクト部材２３が取り付けられている第２ハウジング２１の中央凹部２１ｂは、特に図１５及び図１６に示されているように、上述した２列の電極列同士の間部分、すなわち両側の長手側壁部２１ｄ，２１ｄ同士の間部分がコネクタ長手方向に延在する凹状空間をなすように形成されているとともに、各長手側壁部２１ｄを断面における外周から取り巻くようにして各第２コンタクト部材２３が取り付けられている。これら両側の電極列を構成している一対の第２コンタクト部材２３，２３同士は、コネクタ幅方向に対称的な形状をなすように向かい合って配置されている。
【００４２】
そして、それらの各第２コンタクト部材２３において、断面逆Ｕの字形状をなして上方に突出する部位が、嵌合凸部２３ａになされている。それらの嵌合凸部２３ａは、相手嵌合体であるリセプタクルコネクタ（第１コネクタ）１０の第１コンタクト部材１３に設けられた嵌合凹部１３ａに対して上方側から挿入され、第１コンタクト部材１３が弾性変位することで、嵌合凹部１３ａの内部に受け入れられる構成になされている。
【００４３】
ここで、上述した第２コンタクト部材２３における逆Ｕの字形状をなす嵌合凸部２３ａは、上下方向に略平行に延在するコネクタ中心寄りの内壁面と、コネクタ外方寄りの外壁面とを有しているが、それらコネクタ内外の各壁面には、内方接点部２３ｂ及び外方接点部２３ｃがそれぞれ例えば凹形状をなすように形成されている。そして、双方の電気コネクタ１０及び２０同士が嵌合されて、前述したリセプタクルコネクタ（第１コネクタ）１０に設けられた第１コンタクト部材１３の嵌合凹部１３ａの内方空間に、プラグコネクタ（第２コネクタ）２０に設けられた第２コンタクト部材２３の嵌合凸部２３ａが挿入された際に、プラグコネクタ２０の内方接点部２３ｂ及び外方接点部２３ｃが、前述したリセプタクルコネクタ１０の内方接点部１３ｅ及び外方接点部１３ｆに対して弾性的に接触して電気的な接続が行われることで信号伝送が行われるようになっている。
【００４４】
また、第２コンタクト部材２３の嵌合凸部２３ａの内壁部分は、下方に向かって延出しており、第２ハウジング２１の底面部分の内部に埋設された状態になされている。この第２コンタクト部材２３の埋設部分は、プラグコネクタ２０の下面位置において、コネクタ幅方向の外方に向かって略直角に折れ曲がって延びており、その水平延在部分が第２コンタクト接続部（信号接続部）２３ｄになされている。これらの第２コンタクト接続部２３ｄは、プラグコネクタ２０の実装時に、図２６に示されているような第２配線基板Ｐ２上の信号伝送用導電路（信号パッド）Ｐ２ａに対して半田接合される。これらの第２コンタクト接続部２３ｄの半田接合は、長尺状の半田材を用いて全ての第２コンタクト接続部２３ｄに対して一括的に行われる。
【００４５】
[リセプタクルコネクタのシールドシェルについて]
次に、リセプタクルコネクタ（第１コネクタ）１０にシールド壁部として設けられたシールドシェル１２は、特に図９に示されているように、２体に分割された枠状構造体から形成されており、コネクタ幅方向に対称的に向き合うように対向配置された状態で第１ハウジング１１に装着されている。これら一対の第１シールドシェル１２，１２の各々は、平面視において略コの字形状をなす薄板状金属の折曲部材から形成されており、それらの各シールドシェル１２における平面略コの字形状の長辺部分を構成している長手側壁板１２ａが、コネクタ長手方向に沿って延在するように配置されているとともに、平面略コの字形状の短辺部分を構成している短手側壁板１２ｂが、コネクタ幅方向に沿って延在するように配置されている。そして、これら一対のシールドシェル１２，１２を構成している長手側壁板１２ａ，１２ａ同士、及び短手側壁板１２ｂ，１２ｂ同士が、互いに略平行に対向した状態に配置され、そのような対向配置関係になされることによって、平面視したときの全体形状が略長方形状をなす枠体構造が構成されている。
【００４６】
ここで、各第１シールドシェル１２の長手側壁板１２ａと短手側壁板１２ｂとの連結部分である四隅部分には、第１ハウジング１１に対する固定係止片１２ｃが設けられている。それらの各固定係止片１２ｃは、長手側壁板１２ａ及び短手側壁板１２ｂの上縁部分からコネクタ中心（内方）に向かって張り出すように延出しているが、短手側壁板１２ｂから延出している固定係止片１２ｃは、コネクタ中心（内方）への張り出し部分から下方に向かって逆Ｕ字状に延びるように折り曲げられた湾曲形状になされている。そして、その短手側壁板１２ｂから延出している固定係止片１２ｃが、前述した第１ハウジング１１の基端部１１ａに対して上方から圧入されることによって、シールドシェル１２の全体が第１ハウジング１１に対して固定状態になされている。
【００４７】
このように、平面略長方形状の枠体構造からなる第１シールドシェル１２が、第１ハウジング１１の外周を全周にわたって囲むように構成されていることにより、第１ハウジング１１に取り付けられた第１コンタクト部材１３に対する電磁遮蔽が行われるようになっている。
【００４８】
特に、当該第１シールドシェル１２の長手側壁板１２ａは、前述した第１コンタクト部材１３の第１コンタクト接続部（信号接続部）１３ｇからコネクタ幅方向に所定の間隔をなす位置に立設される配置関係になされており、当該シールドシェル１２の長手側壁板１２ａが、第１コンタクト部材１３の第１コンタクト接続部１３ｇの外端面に対向しつつコネクタ長手方向（第１コンタクト部材１３の配列方向）に延在している。これによって、第１コンタクト接続部１３ｇを含む第１コンタクト部材１３の全体に対する電磁遮蔽が、上述した第１コンタクト接続部１３ｇとシールドシェル１２の長手側壁板１２ａとの間の空間部分を介して適宜にインピーダンス整合された状態で良好に行われる構成になされている。
【００４９】
さらに、そのような第１シールドシェル１２の長手側壁板１２ａに対して、上述した第１ハウジングの長手側壁部１１ｅは、特に図６及び図８に示されているように、コネクタ幅方向の内方（コネクタ中心側）に、予め定められた間隔をなす空隙部１１ｆを介して離間した状態に配置されている。この空隙部１１ｆは、第１ハウジングの長手側壁部１１ｅの外方端面におけるコネクタ長手方向の両端を除いた部分、すなわちコネクタ長手方向における、前述した第１コンタクト部材１３と対向する範囲に配置されており、当該空隙部１１ｆを設けることによって、第１ハウジングの長手側壁部１１ｅの外方端面を、第１シールドシェル１２の長手側壁板１２ａからコネクタ幅方向の内方に離間させる構成になされている。
【００５０】
このような空隙部１１ｆを設けておけば、当該空隙部１１ｆを通して第１コンタクト部材１３の接続状態等が、上方から観察可能になる。また、その空隙部１１ｆの大きさを調整することによって、当該空隙部１１ｆに基づくインピーダンス特性が好適な状態に調整される。
【００５１】
このように本発明は、シールドシェルによるシールド機能やインピーダンス特性を好適に得ることができるようにした基板接続用電気コネクタ装置を提供することをも目的としている。
【００５２】
［第１基板接続部について］
一方、特に図７に示されているように、第１シールドシェル１２の長手側壁板１２ａの下端縁部には、下方の第１配線基板Ｐ１の主面に向かって突出する板状突起片からなる第１基板接続部（グランド接続部）１２ｄが一体的に形成されている。この第１基板接続部１２ｄは、コネクタ長手方向に複数体にわたって設けられているが、それらコネクタ長手方向に配置された各第１基板接続部１２ｄは、特に図４に示されているように、同じくコネクタ長手方向に隣接している第１コンタクト部材１３，１３同士の間に配置されている。
【００５３】
これらの各第１基板接続部（グランド接続部）１２ｄを構成している板状突起片は、第１シールドシェル１２の一部を構成している長手側壁板１２ａの下端縁部分からコネクタ幅方向の外方に向かって張り出すように形成されており、コネクタ長手方向に見たときの側面形状がクランク形状をなしている。すなわち、特に図７及び図２４に示されているように、当該第１基板接続部１２ｄは、上述した第１シールドシェル１２におけるコネクタ幅方向の外方端面から、コネクタ幅方向の外方に向かって張り出す段差部１２ｄ１を有しているとともに、その段差部１２ｄ１からは、下方の第１配線基板Ｐ１の主面に向かって接続片部１２ｄ２が突出する構成になされている。
【００５４】
そして、その第１基板接続部（グランド接続部）１２ｄの下端部分をなす接続片部１２ｄ２が、第１配線基板Ｐ１の主面上に形成されたグランド用導電路（グランドパッド）Ｐ１ｂに対して半田接合されることにより電気的な接続が行われることとなる。その場合における第１基板接続部１２ｄの半田接合は、長尺状の半田材を用いて全ての第１基板接続部１２ｄに対して一括的に行うことが可能である。
【００５５】
ここで、特に図２４に示されているように、上述した第１基板接続部（グランド接続部）１２ｄの接続片部１２ｄ２は、コネクタ幅方向（板厚方向）の内方に内方端面１２ｄ３を有しているが、その接続片部１２ｄ２の内方端面１２ｄ３は、リセプタクルコネクタ（第１コネクタ）１０にプラグコネクタ（第２コネクタ）２０が嵌合された際に、第２シールドシェル２２のコネクタ幅方向における板幅ｔの範囲内に配置される構成になされている。従って、第１シールドシェル１２の長手側壁板１２ａは、接続片部１２ｄ２に対して、上述した第１基板接続部１２ｄの段差部１２ｄ１が有するコネクタ幅方向の段差分にわたってコネクタ幅方向の内方に位置していることとなり、そのように第１シールドシェル１２がコネクタ幅方向の内方に位置している分だけ、両電気コネクタ１０，２０同士の嵌合時に第１シールドシェル１２の外方に配置される第２シールドシェル２２が、従来よりもコネクタ幅方向の内方に配置され、それによって電気コネクタ装置全体の幅寸法がコネクタ幅方向に縮小されている。
【００５６】
また、第１シールドシェル１２は、上述した第１基板接続部（グランド接続部）１２ｄの接続片部１２ｄ２の高さ分にわたって、第１配線基板Ｐ１の主面から上方に離間した状態になされている。従って、第１シールドシェル１２の下方部分には、第１配線基板Ｐ１に対して電気的な接続を行うための空間が形成されており、当該第１シールドシェル１２に対してコネクタ幅方向の内方に配置された第１コンタクト部材１３が接続される信号伝送用導電路（信号パッド）Ｐ１ａに対して、第１シールドシェル１２が干渉し難い状態となっている。その結果、第１シールドシェル１２を、信号伝送用導電路（信号パッド）Ｐ１ａに近付けることが可能となり、第１シールドシェル１２が接続されるグランド用導電路（グランドパッド）Ｐ１ｂを第１コンタクト部材１３が接続される信号伝送用導電路（信号パッド）Ｐ１ａに対してコネクタ幅方向に近付けることで、電気コネクタ装置全体の更なる小型化が図られるようになっている。
【００５７】
一方、上述した第１シールドシェル１２の長手側壁板１２ａには、コネクタ幅方向に向かって張り出す板バネ片１２ｅが切り起こすようにして設けられている。この板バネ片１２ｅは、コネクタ長手方向に一定の間隔をなして複数設けられており、当該板バネ片１２ｅの先端部分が、第１シールドシェル１２の外表面からコネクタ幅方向の外方側に向かって斜めに張り出すように形成されている。
【００５８】
そして、リセプタクルコネクタ（第１コネクタ）１０に対してプラグコネクタ（第２コネクタ）２０が上方側から嵌合された際に、上述した板バネ片１２ｅの先端部分が、プラグコネクタ２０の第２シールドシェル２２に対して、内方から弾性的に接触する配置関係になされている。
【００５９】
さらに、第１シールドシェル１２における延在方向（コネクタ長手方向）の両端部の間部分には、第１ハウジング１１の一部に固定される複数（一対）の係合片１２ｆが設けられている。すなわち、第１ハウジング１１の長手側壁板１２ａにおけるコネクタ長手方向の途中部分には、上述した第１シールドシェル１２の各係合片１２ｆに対応した位置に、複数（一対）の係止部１１ｇがコネクタ幅方向の外方に突出するように設けられている。これらの各係止部１１ｇには、上下方向に貫通する係止穴が形成されており、その第１ハウジング１１の係止部１１ｇの各々に設けられた係止穴に対して第１シールドシェル１２に設けられた係合片１２ｆが上方から圧入されるようになっている。
【００６０】
このような構成としておけば、第１シールドシェル１２全体が、係合片１２ｆを介して第１ハウジング１１に強固な固定状態に維持されることとなり、第１シールドシェル１２の撓みや変形のおそれが回避されることから、空隙部１１ｆの大きさを一定に保つことができ、好適なシールド機能（電磁遮蔽）及びインピーダンス特性が得られる。
【００６１】
[プラグコネクタのシールドシェルについて]
一方、特に図１７に示されているように、プラグコネクタ（第２コネクタ）２０にシールド壁部として設けられたシールドシェル２２も、２体に分割された枠状構造体から形成されており、コネクタ幅方向に対称的に向き合うように対向配置された状態で第２ハウジング２１に装着されている。これら一対の第２シールドシェル２２，２２の各々は、平面視において略コの字形状をなす薄板状金属の折曲部材から形成されており、それらの各シールドシェル２２における平面略コの字形状の長辺部分を構成している長手側壁板２２ａが、コネクタ長手方向に沿って延在するように配置されている。
【００６２】
また、上述した長手側壁板２２ａにおけるコネクタ長手方向の両端部分には、他方のシールドシェル２２に向かって略直角に折り曲げられた短手側壁板としての固定係止片２２ｂ，２２ｂが一体的に連設されている。それらの各シールドシェル２２の固定係止片（短手側壁板）２２ｂ，２２ｂは、コネクタ幅方向に延出しており、第１ハウジング１１のコネクタ長手方向における端縁部分を構成している基端部２１ａ，２１ａの内部に圧入又はインサート成形により取り付けられており、それによってシールドシェル２２の全体が第２ハウジング２１に固定状態になされている。
【００６３】
上述した一対の第２シールドシェル２２，２２を構成している長手側壁板２２ａ，２２ａ同士は、互いに略平行に対向した状態に配置されるとともに、短手側壁板を構成している固定係止片２２ｂ，２２ｂ同士が、コネクタ幅方向に突き合わせ配置されることによって、平面視したときの全体形状が略長方形状をなす枠体構造が構成されるようになっている。
【００６４】
このように本実施形態にかかるプラグコネクタ（第２コネクタ）２０においては、第２シールドシェル２２の長手側壁板２２ａの両端部分に設けられた固定係止片（短手側壁板）２２ｂが、第１ハウジング１１の基端部２１ａの内部に挿入（埋設）状態になされていることから、第２ハウジング２１のコネクタ長手方向の全長範囲内にシールドシェル２２が収められた状態となっており、シールドシェル２２が第２ハウジング２１の外方に張り出すことがなく、コネクタ長手方向にコネクタ全体の小型化が図られるようになっている。加えて本実施形態では、第２シールドシェル２２の第２基板接続部（グランド接続部）２２ｃが、シールドシェル２２を構成する板状部材の板厚の範囲内に収められた状態で配置されていることから、シールドシェル２２の外方に張り出すことがなく、コネクタ幅方向においてもコネクタ全体の小型化が更に図られるようになっている。
【００６５】
また、前述したようにリセプタクルコネクタ（第１コネクタ）１０及びプラグコネクタ（第２コネクタ）２０の各々においては、平面略コ字形状をなす一対の第１シールドシェル１２，１２同士及び第２シールドシェル２２，２２同士が、コネクタ幅方向に対向配置されて枠体構造が構成されているが、それらの両電気コネクタ１０，２０同士が、図１８〜図２４に示されているように嵌合状態になされると、リセプタクルコネクタ１０に設けられた第１シールドシェル１２の外方に、プラグコネクタ２０に設けられた第２シールドシェル２２が配置され、コネクタ幅方向においては、第１シールドシェル１２の長手側壁板１２ａに対して、コネクタ幅方向の外方位置に第２シールドシェル２２の長手側壁板２２ａが配置される。
【００６６】
より具体的には、第１シールドシェル１２の長手側壁板１２ａが有しているコネクタ幅方向の外方端面に対して、第２シールドシェル２２の長手側壁板２２ａが有しているコネクタ幅方向の内方端面が、コネクタ幅方向に互いに対向して重なり合う関係となるとともに、第１シールドシェル１２の短手側壁板１２ｂにおけるコネクタ長手方向の外方端面の外方位置に、第２シールドシェル２２の短手側壁板をなす固定係止片２２ｂにおけるコネクタ長手方向の内方端面が、コネクタ長手方向に対向して互いに重なり合う関係となる。その結果、電気コネクタ装置の全周がシールド壁部により完全に覆われた状態となり、極めて良好なシールド機能が得られるようになっている。
【００６７】
ここで、第２シールドシェル２２の長手側壁板２２ａ及び固定係止片（短手側壁板）２２ｂの下端縁部には、第２配線基板Ｐ２の表面に向かって下方に突出する板状突起片からなる第２基板接続部（グランド接続部）２２ｃが、複数体にわたって形成されている。これらの各第２基板接続部２２ｃを構成している板状突起片は、長手側壁板２２ａ及び固定係止片（短手側壁板）２２ｂと面一な表面を有して連続するように形成されており、長手側壁板２２ａ及び固定係止片（短手側壁板）２２ｂを構成する板状部材の板厚の範囲内に延在している。
【００６８】
上述した第２基板接続部（グランド接続部）２２ｃの下端部は、図２６に示されている第２配線基板Ｐ２の主面上に設けられたグランド用導電路（グランドパッド）Ｐ２ｂに対して半田接合されることで電気的な接続が行われるが、その場合の第２基板接続部２２ｃの半田接合は、長尺状の半田材を用いて全ての第２基板接続部２２ｃに対して一括的に行われる。
【００６９】
ここで、本実施形態における第２シールドシェル２２の長手側壁板２２ａは、前述した第２コンタクト部材２３の第２コンタクト接続部（信号接続部）２３ｄからコネクタ幅方向に所定の間隔をなす位置において、第２配線基板Ｐ２の表面上に立設される配置関係になされている。すなわち、シールドシェル２２の長手側壁板２２ａが、第２コンタクト部材２３の第２コンタクト接続部２３ｄの外端面に対してコネクタ長手方向に対向しつつ、コネクタ長手方向（第２コンタクト部材２３の配列方向）に延在していることによって、第２コンタクト接続部２３ｄを含む第２コンタクト部材２３の全体に対する電磁遮蔽が、上述した第２コンタクト接続部２３ｄとシールドシェル２２の長手側壁板２２ａとの間の空間部分を介して適宜にインピーダンス整合された状態で良好に行われる構成になされている。
【００７０】
以上の通り本実施形態においては、リセプタクルコネクタ（第１コネクタ）１０及びプラグコネクタ（第２コネクタ）２０の各々において、第１コンタクト接続部（信号接続部）１３ｇ及び第２コンタクト接続部（信号接続部）２３ｄに対する電磁遮蔽作用を、それぞれのシールド壁部として設けられた第１シールドシェル１２及び第２シールドシェル２２により得るようにしている。そして、両電気コネクタ１０，２０同士が嵌合された際にあっては、第１シールドシェル１２及び第２シールドシェル２２が内外において二重に配置され、かつ第１シールドシェル１２及び第２シールドシェル２２の一方と、両配線基板Ｐ１，Ｐ２のうちの一方との間に形成される隙間が、第１シールドシェル１２及び第２シールドシェル２２の他方により部分的に覆われることから、電気コネクタ装置として極めて良好な電磁遮蔽作用が得られる。特に、第１シールドシェル１２及び第２シールドシェル２２と第１及び第２配線基板Ｐ１，Ｐ２との隙間を効率的に塞ぐことができるため、十分なＥＭＩ対策が期待できる。
【００７１】
加えて、本実施形態においては、リセプタクルコネクタ（第１コネクタ）１０とプラグコネクタ（第２コネクタ）２０とが嵌合された際に、特に図２４に示されているように、第１シールドシェル１２に設けられた第１基板接続部（グランド接続部）１２ｄの上方位置に、第２シールドシェル２２の長手側壁板２２ａが配置される。すなわち、第２シールドシェル２２の長手側壁板２２ａのコネクタ幅方向における嵌合位置は、第１シールドシェル１２の第１基板接続部１２ｄに対してコネクタ幅方向に重なり合うこととなる。その結果、第１シールドシェル１２の第１基板接続部１２ｄ及びその第１基板接続部１２ｄが接続されるグランド用導電路（グランドパッド）Ｐ１ｂに対して、コネクタ幅方向における内方寄りの位置に第２シールドシェル１２の長手側壁板２２ａが配置される。
【００７２】
すなわち、第１シールドシェル１２が、第１基板接続部１２ｄに対してコネクタ幅方向の内方に配置されていることから、両コネクタ１０,２０が嵌合された際に、第１シールドシェル１２の外方に配置される第２シールドシェル２２が、従来よりもコネクタ内方に配置されることとなる。従って、信号伝送用導電路（信号パッド）Ｐ１ａに対してグランド用導電路（グランドパッド）Ｐ１ｂがコネクタ幅方向の外方位置に離れている場合であっても、上述したように第２シールドシェル１２の長手側壁板２２ａがコネクタ幅方向の内方に寄せられていることにより、電気コネクタ装置の全体がコネクタ幅方向に狭められて小型化が図られるようになっている。
【００７３】
さらに、本実施形態においては、第１シールドシェル１２に設けられた第１基板接続部（グランド接続部）１２ｄが、第１シールドシェル１２におけるコネクタ幅方向の外方端面から同方向の外方に向かって張り出す段差部１２ｄ１から接続片部１２ｄ２が下方に向かって突出しており、その接続片部１２ｄ２が第１配線基板Ｐ１の主面に向かって突出している分だけ、第１シールドシェル１２の全体が第１配線基板Ｐ１の主面から離れた状態に維持されている。従って、本実施形態における第１シールドシェル１２は、第１コンタクト部材１３に設けられた第１コンタクト接続部（信号接続部）１３ｇ及びその第１コンタクト部材１３が接続される信号伝送用導電路（信号パッド）Ｐ１ａに対して干渉し難い状態となっている。
【００７４】
このように、第１シールドシェル１２の下方に、第１コンタクト接続部（信号接続部）１３ｇとの干渉を回避する空間部を備えた本実施形態によれば、第１シールドシェル１２が、第１配線基板Ｐ１の主面に近接して第１コンタクト接続部１３ｇと干渉し易くなっている場合に比して、第１シールドシェル１２を、信号伝送用導電路（信号パッド）Ｐ１ａに近付けることが可能となり、第１シールドシェル１２が接続されるグランド用導電路（グランドパッド）Ｐ１ｂを、第１コンタクト部材１３が接続される信号伝送用導電路（信号パッド）Ｐ１ａに対してコネクタ幅方向に近付けることで、電気コネクタ装置の全体の更なる小型化を図ることができる。
【００７５】
また、本実施形態においてプラグコネクタ（第２コネクタ）２０に設けられた第２シールドシェル２２は、両電気コネクタ１０，２０同士を嵌合した際に、当該第２シールドシェル２２の長手側壁板２２ａの内壁面（内方端面）が、リセプタクルコネクタ（第１コネクタ）１０の第１シールドシェル１２に設けられた板バネ片１２ｅの先端部分に対して外方側から弾性的に接触する。これによって、第１シールドシェル１２及び第２シールドシェル２２同士が電気的な接続状態になされ、その板バネ片１２ｅを通してグランド回路の一部が構成されることから、当該板バネ片１２ｅの接触面積分だけ電気的導通性が向上してグランド抵抗が低減され、シールド特性が向上されるようになっている。
【００７６】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００７７】
例えば、上述した実施形態においては、第１シールドシェル１２に設けられた第１基板接続部（グランド接続部）１２ｄを、コネクタ幅方向の外方に向かって張り出す段差部１２ｄ１を介して接続片部１２ｄ２を備えた側面略クランク形状をなす構成としているが、そのような段差部を介在させることなく、第１シールドシェル１２の下端縁部を配線基板の表面に近接させた状態まで延ばし、その第１シールドシェル１２の下端縁部から直接的に、第１基板接続部（グランド接続部）を長手側壁板２２ａの外方端面からの突出量を抑えてコネクタ幅方向の外方に向かって略水平に延出させた側面略Ｌ字形状をなす構成とすることも可能である。
【００７８】
また、上述した実施形態におけるコンタクト部材１２，２２は、対称的に向き合う２列の電極構成になされているが、当然ながら、単列（１列）の構成とすることも可能である。
【産業上の利用可能性】
【００７９】
以上のように本発明は、各種電子・電気機器に使用される多種多様な基板接続用電気コネクタ装置に対して広く適用することが可能である。
【符号の説明】
【００８０】
１０  リセプタクルコネクタ（第１コネクタ）
１１  第１ハウジング
１１ａ  基端部
１１ｂ  中央凸部
１１ｃ  コンタクト取付け溝
１１ｄ  仕切り板
１１ｅ  長手側壁部
１１ｆ  空隙部
１１ｇ  係止部
１２  第１シールドシェル（シールド壁部）
１２ａ  長手側壁板
１２ｂ  短手側壁板
１２ｃ  固定係止片
１２ｄ  第１基板接続部（グランド接続部）
１２ｄ１  段差部
１２ｄ２  接続片部
１２ｄ３  内方端面
１２ｅ  板バネ片
１２ｆ  係合片
１３  第１コンタクト部材
１３ａ  嵌合凹部
１３ｂ  底辺部
１３ｃ  外方立上辺部
１３ｄ  内方立上辺部
１３ｅ  内方接点部
１３ｆ  外方接点部
１３ｇ  第１コンタクト接続部（信号接続部）
２０  プラグコネクタ（第２コネクタ）
２１  第２ハウジング
２１ａ  基端部
２１ｂ  中央凹部
２１ｄ  長手側壁部
２２  第２シールドシェル（シールド壁部）
２２ａ  長手側壁板
２２ｂ  固定係止片（短手側壁板）
２２ｃ  第２基板接続部（グランド接続部）
２３  第２コンタクト部材
２３ａ  嵌合凸部
２３ｂ  内方接点部
２３ｃ  外方接点部
２３ｄ  第２コンタクト接続部（信号接続部）
Ｐ１  第１配線基板
Ｐ１ａ  信号伝送用導電路（信号パッド）
Ｐ１ｂ  グランド用導電路（グランドパッド）
Ｐ２  第２配線基板
Ｐ２ａ  信号伝送用導電路（信号パッド）
Ｐ２ｂ  グランド用導電路（グランドパッド）
【図１】
2019087382.tif 000003
【図２】
2019087382.tif 000004
【図３】
2019087382.tif 000005
【図４】
2019087382.tif 000006
【図５】
2019087382.tif 000007
【図６】
2019087382.tif 000008
【図７】
2019087382.tif 000009
【図８】
2019087382.tif 000010
【図９】
2019087382.tif 000011
【図１０】
2019087382.tif 000012
【図１１】
2019087382.tif 000013
【図１２】
2019087382.tif 000014
【図１３】
2019087382.tif 000015
【図１４】
2019087382.tif 000016
【図１５】
2019087382.tif 000017
【図１６】
2019087382.tif 000018
【図１７】
2019087382.tif 000019
【図１８】
2019087382.tif 000020
【図１９】
2019087382.tif 000021
【図２０】
2019087382.tif 000022
【図２１】
2019087382.tif 000023
【図２２】
2019087382.tif 000024
【図２３】
2019087382.tif 000025
【図２４】
2019087382.tif 000026
【図２５】
2019087382.tif 000027
【図２６】
2019087382.tif 000028